(57)【要約】  本出願は、遠隔無線周波数ユニットに基づく集中型基地局システムにおいて複合セルの下り回線電力を制御するための装置を開示しており、前記基地局システムは、複数の無線周波数ユニットと、前記複数の無線周波数ユニットに接続されているＲＡＫＥ受信器とを有しており、前記装置は、各無線周波数ユニットと、同じユーザー機器との間の上り回線チャネルの信号品質を測定するための、ＲＡＫＥ受信器に接続されている信号品質測定手段と、各上り回線チャネルの平均信号品質を、測定された信号品質に従って計算するための平均信号品質計算手段と、上り回線チャネルに対応する下り回線チャネルの送信電力を、前記平均信号品質に従って調整して、平均信号品質が低い上り回線チャネルに対応する下り回線チャネルの送信電力が、比較的低くなるようにするための電力制御手段と、を備えている。【選択図】          図３
2007533178.tif 000002
【特許請求の範囲】
【請求項１】
遠隔無線周波数ユニットに基づく集中型基地局システムにおいて複合セルの下り回線電力を制御するための装置であって、前記基地局システムは、複数の無線周波数ユニットと、前記複数の無線周波数ユニットに接続されているＲＡＫＥ受信器とを有している、装置において、
各無線周波数ユニットと、同じ利用者装置との間の上り回線チャネルの信号品質を測定するための、ＲＡＫＥ受信器に接続されている信号品質測定手段と、
各上り回線チャネルの平均信号品質を、前記測定された信号品質に従って計算するための平均信号品質計算手段と、
上り回線チャネルに対応する下り回線チャネルの送信電力を、前記平均信号品質に従って調整して、平均信号品質がより低い上り回線チャネルに対応する下り回線チャネルの送信電力を比較的より低くするための電力制御手段と、を備えている装置。
【請求項２】
前記信号品質は信号の強度であることを特徴とする、請求項１に記載の装置。
【請求項３】
前記信号品質は符号チャネル電力であることを特徴とする、請求項１に記載の装置。
【請求項４】
前記信号品質は信号−干渉比であることを特徴とする、請求項１に記載の装置。
【請求項５】
前記平均信号品質は、上り回線と下り回線のチャネルの平均経路損失が実質的に等しくなるように、或る期間に亘って計算されることを特徴とする、請求項１に記載の装置。
【請求項６】
前記基地局システムは、下り回線変調ユニットによって変調されるように、下り回線の物理チャネルを合成させるための合成ユニットを有しており、前記電力制御手段は、同期チャネル以外の下り回線の物理チャネル入力のための前記合成ユニットの比率因数を制御するための手段を更に備えているので、より低い上り回線平均信号品質を有する下り回線チャネルの物理チャネルの比率因数は比較的より低くなることを特徴とする、請求項１に記載の装置。
【請求項７】
前記比率因数を制御するための手段は、前記平均信号品質に関する計算を正規化することを実行することによって、前記制御を実行することを特徴とする、請求項６に記載の装置。
【請求項８】
前記電力制御手段は、各平均信号品質を所定の閾値と比較するための選択手段を更に備えているので、前記平均信号品質が前記閾値を下回るか等しい上り回線チャネルに対応する下り回線チャネルは、送信電力が０である、請求項１に記載の装置。
【請求項９】
前記基地局システムは、下り回線変調ユニットによって変調されるように、下り回線の物理チャネルを合成するための合成ユニットを有しており、前記電力制御手段は、前記選択手段によって前記合成ユニットへの送信電力が０と決められた、前記下り回線チャネルの対応する入力を切るための切替手段を更に備えている、請求項８に記載の装置。
【請求項１０】
遠隔無線周波数ユニットに基づく集中型基地局システムにおいて複合セルの下り回線電力を制御するための方法であって、前記基地局システムは、複数の無線周波数ユニットと、前記複数の無線周波数ユニットに接続されているＲＡＫＥ受信器とを有している、方法において、
各無線周波数ユニットと、同じユーザー機器との間の上り回線チャネルの信号品質を、前記ＲＡＫＥ受信器が受信した信号の測定により測定する段階と、
各上り回線チャネルの平均信号品質を、前記測定された信号品質に従って計算する段階と、
前記上り回線チャネルに対応する下り回線チャネルの送信電力を、前記平均信号品質に従って調整して、平均信号品質がより低い上り回線チャネルに対応する下り回線チャネルの送信電力を比較的より低くする段階と、から成る方法。
【請求項１１】
前記信号品質は信号の強度であることを特徴とする、請求項１０に記載の方法。
【請求項１２】
前記信号品質は符号チャネルの電力であることを特徴とする、請求項１０に記載の方法。
【請求項１３】
前記信号品質は信号−干渉比であることを特徴とする、請求項１０に記載の方法。
【請求項１４】
前記計算する段階は、前記平均信号品質を、上り回線と下り回線のチャネルの平均経路損失が実質的に等しくなるように、或る期間に亘って計算する段階を含んでいることを特徴とする、請求項１０に記載の方法。
【請求項１５】
前記基地局システムは、下り回線変調ユニットによって変調されるように、下り回線の物理チャネルを合成させるための合成ユニットを有しており、前記調整する段階は、同期チャネル以外の下り回線の物理チャネル入力に対する前記合成ユニットの比率因数を制御する段階を更に含み、より低い上り回線平均信号品質を有する下り回線チャネルの物理チャネルの比率因数は比較的より低くなる、請求項１０に記載の方法。
【請求項１６】
前記比率因数を制御する段階は、前記平均信号品質に関する計算の正規化を実行する段階を含んでいることを特徴とする、請求項１５に記載の方法。
【請求項１７】
前記調整する段階は、各平均信号品質を所定の閾値と比較する選択する段階を更に含んでいるので、前記平均信号品質が前記閾値を下回るか等しい上り回線チャネルに対応する下り回線チャネルは、送信電力が０になることを特徴とする、請求項１０に記載の方法。
【請求項１８】
前記基地局システムは、下り回線変調ユニットによって変調されるように、下り回線の物理チャネルを合成させるための合成ユニットを有しており、前記調整する段階は、前記選択する段階によって、前記合成ユニットへの送信電力が０と決められた前記下り回線チャネルの対応する入力を切る切替制御段階を更に含んでいる、請求項１７に記載の方法。
【発明の詳細な説明】
【技術分野】
【０００１】
本発明は、移動通信システムにおける分散型基地局の技術分野に、具体的には、遠隔無線周波数ユニットに基づく集中型基地局システムで複合セル技術を使用する場合の、下り回線電力制御の方法及び装置に関する。
【背景技術】
【０００２】
図１ａに示すように、基地局（ＢＴＳ）は、無線信号の送信、受信及び処理を行い、従来型のＢＴＳは、主に、ベースバンド処理システム、無線周波数（ＲＦ）サブシステム、及びアンテナによって構成されており、１つのＢＴＳが、複数のアンテナを通して異なるセルをカバーする。図１ｂに示すように、各ＢＴＳは、それぞれ或るインターフェースを介して基地局コントローラー（ＢＳＣ）又は無線ネットワークコントローラー（ＲＮＣ）に繋がって、無線アクセスネットワーク（ＲＡＮ）を構成している。
【０００３】
図２は、別の種類の分散型基地局、即ち、遠隔無線周波数ユニットに基づく集中型基地局のシステムアーキテクチャを使ったものを示している。従来の基地局と比べると、遠隔無線周波数ユニットに基づくこの様な集中型基地局は、多くの利点を有しており、即ち、従来の基地局に基づく１つのマクロセルを、複数のマイクロセルに置き換えることができるので、異なる無線環境を巧く提供し、システムの容量、カバー範囲などの様な無線性能を向上させることができ、また、集中型構造では、従来の基地局内でのソフトハンドオフ（引き渡し）をよりソフトなハンドオフで実行できるようになるので、追加的な処理利得が得られ、また、集中型構造では、コストのかさむベースバンド信号処理リソースを、複数のセルが共有するリソースプールとして使用することができるようになるので、統計的多重化の利点を得ることができ、システムのコストを下げることができる。この技術の更なる詳細は、ＰＣＴ特許ＷＯ９００５４３２号「通信システム」、米国特許ＵＳ５６５７３７４号「集中型基地局と分散型アンテナユニットを備えたセルラーシステム」、同ＵＳ６３２４３９１号「集中型制御及び信号処理を使ったセルラー通信」、中国特許出願ＣＮ１４６４６６６号「光ファイバーストレッチに基づくソフト基地局システムとその同期方法」、中国特許出願ＣＮ１４７１３３１号「移動通信のための基地局システム」、及び米国特許出願ＵＳ２００３０１７１１１８号「セルラー式無線送信装置とセルラー式無線送信方法」に開示されている。
【０００４】
図２に示しているように、遠隔無線周波数ユニットに基づく集中型基地局システムは、中央チャネル処理サブシステムと遠隔無線周波数（ＲＦ）ユニットで構成されており、それらは、中央集中式に構成され広帯域送信リンク又はネットワークで接続されている。中央チャネル処理サブシステムは、主に、チャネル処理リソースプール、信号ルーティング分配ユニットなどの様な機能ユニットを備えており、チャネル処理リソースプールは、複数のチャネル処理ユニットを積み重ねて形成され、ベースバンド信号処理の様なタスクを実行し、信号分配ユニットは、複数のセルの間で処理リソースを効果的に分け合えるように、チャネル処理リソースを、異なるセルのトラフィックに従って動的に割り当てる。信号ルーティング分配ユニットは、図２に示している集中型基地局の内側で実装されるだけでなく、集中型基地局の外側の独立した装置としても実装される。遠隔アンテナ要素は、主に、送信チャネルの無線周波数電力増幅器、受信チャネルの低ノイズ増幅器、アンテナなどの様な機能ユニットで構成されている。中央チャネル処理サブシステムと遠隔アンテナ要素の間の接続は、光ファイバー、同軸ケーブル、マイクロ波などの様な送信媒体を採用してもよく、信号送信は、サンプリング後のデジタル信号か、又は変調後のシミュレート信号によって行われ、信号は、ベースバンド信号、中間周波数信号、又は無線周波数信号である。
【０００５】
先に述べたように、遠隔無線周波数ユニットに基づく集中型基地局システムでは、従来型の基地局に基づく１つのマクロセルに置き換えて複数のマイクロセルを使用できるので、システムの容量を増すのには望ましい。ＷＣＤＭＡ（広帯域符号分割多重アクセス）システムを例に取ると、上り回線では、システム容量は、上り回線干渉によって決まり、上り回線電力制御のおかげで、集中型基地局によって制御されている各マイクロセル内のＵＥ（ユーザー機器）は低電力で送信するが、別のマイクロセルへの干渉が少ないので、マクロセルよりも上り回線容量が増大し、また、下り回線では、システム容量は、最大総下り回線送信電力と、ＯＶＳＦ（直交拡散因数）符号の数とによって決まり、集中型基地局によって制御される各マイクロセルのカバー範囲は、マクロセルと比べて大幅に減少するので、電力が下り回線容量に課す制限は大幅に減少し、同時に、各マイクロセルは異なる下り回線スクランブル符号を有しているので、各マイクロセルに各ＯＶＳＦ符号リソースを割り当てることによって、下り回線容量に関するＯＶＳＦ符号の数の制限の下り回線問題を解決することができる。
【０００６】
しかしながら、マイクロセルの半径は、マクロセルに比べると小さいので、特にＵＥの移動速度が高いときには、ＵＥの切り換え頻度が確実に高くなる。ＵＥの切替頻度が高いと、多くの問題を引き起こす可能性があり、即ち、ＵＥの呼損失が増し、また、切替により無線測定を頻繁に行うためＵＥの電力消費が増し、それによってＵＥの待機時間が減り、また、過度の切替は追加の無線リソースを必要とするので、マイクロセルを使用することによって増大したシステム容量を、逆に減らすことになる。一方、遠隔無線周波数ユニットに基づく集中型基地局システムのカバー範囲が広く、即ち、制御下にあるマイクロセルの数が非常に大きい時には、その領域全体がピーク容量に達する可能性は低くなり、従って、多くのセルが高い容量利用率を呈することはないので、マイクロセルを使用することによって増大した可能性を備えたシステム容量の利点を実際に手にすることはない。
【０００７】
このため、本発明と同時に出願されている別の特許出願「集中型基地局を使った移動通信システムにおけるマイクロセル管理方法」は、この問題に対する或る種の効果的な解決策を提案しており、つまり、ＵＥの移動速度、セルの負荷状態、集中型基地局の処理リソースの占有の様なパラメーターに従って、カバー範囲下にあるセルに、動的なセル制御が実施され、即ち、同様のパラメーターを有する地理的に隣接している複数のセルは、動的に１つのセルにまとめられ、この動的に生成されたセルでは、下り回線スクランブル符号は同じであり、動的に生成されたセルを形成している元のマイクロセルに対応する無線遠隔周波数ユニットが、動的に生成されたセルの分散型無線周波数送受信器システムを構成している。更に、この特許出願によれば、近隣のマイクロセル同士を合体させて１つのセルにする固定的な構成方法、即ち、幾つかの領域内の地理的に隣接しているマイクロセルを、システム構成に従って１つのセルに固定的に構成する構成方法を採用することができ、これは、主に、最初のネットワーク構築時のシステム設計の容量が小さい場合に適している。説明し易くするため、地理的に隣接しているマイクロセルを動的又は固定的に合体させることによって形成されるこの様なセルを、複合セルと呼ぶ。
【０００８】
図３は、遠隔無線周波数ユニットに基づく集中型基地局内の複合セルの分散型送受信器方式を示す概略図である。図３に示すように、マイクロセル＃１−＃７は、組み合わせられて１つの複合セルになっており、その分散型受信及び送信機構が、従来のセルと異なっている。上り回線方向では、マイクロセル内の遠隔無線周波数ユニットは、全て、同じユーザー機器（ＵＥ）から上り回線信号を受信する。遠隔無線周波数ユニットの間の地理的分布が異なるために、集中型基地局内では、遠隔無線周波数ユニットからの上り回線信号は、ＵＥからの多重経路信号と等価になる。従って、それらは、ＲＡＫＥ受信器によって適切に復調することができる。遠隔無線周波数ユニットがＵＥから遠い場合、遠隔無線周波数ユニットがＵＥから受信する信号は、必然的に弱い。基地局のＲＡＫＥ受信器は、一定の閾値よりも高い強度の多重経路信号を自動的に追跡して選択する能力を有しているので、上り回線方向では、近いＵＥからの、より強い上り回線信号が、自動的に選択され、これは、１つの通常の無線周波数ユニットを備えたセルの場合と同様である。
【０００９】
しかしながら、下り回線方向では、複合セル内の全ての遠隔無線周波数ユニットは、同じＵＥに下り回線信号を送る。ＵＥから遠い遠隔無線周波数ユニットでは、その送信された信号の、ＵＥの下り回線受信信号電力への貢献は非常に小さく、従って必要ない。一方、下り回線信号の分散型送信構造は、実際に人工の多重経路効果を生み出すので、ＵＥから遠い遠隔無線周波数ユニットによってＵＥに送られた信号は、その下り回線によって、他のＵＥへの干渉を引き起こし、下り回線の直交性を低減し、下り回線の性能を低下させる。
本発明は、この問題について提案されている。
【発明の開示】
【課題を解決するための手段】
【００１０】
本発明の目的は、遠隔無線周波数ユニットに基づく集中型基地局システムにおいて複合セルの下り回線電力を制御するための装置及び方法を提供することである。
【００１１】
本発明の或る態様によれば、遠隔無線周波数ユニットに基づく集中型基地局システムにおいて複合セルの下り回線電力を制御するための装置が提供されており、前記基地局システムは、複数の無線周波数ユニットと、前記複数の無線周波数ユニットに接続されているＲＡＫＥ受信器とを有しており、前記装置は、各無線周波数ユニットと、同じ利用者装置との間の上り回線チャネルの信号品質を測定するための、ＲＡＫＥ受信器に接続されている信号品質測定手段と、各上り回線チャネルの平均信号品質を、測定された信号品質に従って計算するための平均信号品質計算手段と、上り回線チャネルに対応する下り回線チャネルの送信電力を、前記平均信号品質に従って調整して、平均信号品質がより低い上り回線チャネルに対応する下り回線チャネルの送信電力が、比較的より低くなるようにするための電力制御手段と、を備えている。
【００１２】
本発明の別の態様によれば、遠隔無線周波数ユニットに基づく集中型基地局システムにおいて複合セルの下り回線電力を制御する方法が提供されており、前記基地局システムは、複数の無線周波数ユニットと、前記複数の無線周波数ユニットに接続されているＲＡＫＥ受信器とを有しており、前記方法は、各無線周波数ユニットと、同じユーザー機器との間の上り回線チャネルの信号品質を、ＲＡＫＥ受信器が受信した信号の測定により測定する段階と、各上り回線チャネルの平均信号品質を、測定された信号品質に従って計算する段階と、上り回線チャネルに対応する下り回線チャネルの送信電力を、前記平均信号品質に従って調整して、平均信号品質がより低い上り回線チャネルに対応する下り回線チャネルの送信電力が、比較的より低くなるようにする段階と、を備えている。
【００１３】
本発明によれば、遠隔無線周波数ユニットに基づく集中型基地局システムにおいて複合セル技法を使用する場合、或るＵＥに向けられた下り回線では、ＵＥの下り回線信号を送信するのに、平均下り回線経路損失が少ない遠隔無線周波数ユニットが選択され、平均下り回線経路損失が大きい遠隔無線周波数ユニットから送信されるＵＥの下り回線信号は、切られる。
【００１４】
実際には、遠隔無線周波数ユニットがＵＥからより離れている場合、遠隔無線周波数ユニットからＵＥへの経路の平均下り回線経路損失はより高く、従って、その送信信号は、ＵＥの下り回線受信信号の電力により貢献しない。従って、平均下り回線経路損失が高い遠隔無線周波数ユニットから送信されるＵＥの下り回線信号を切ることは、下り回線電力リソースを節約するだけでなく、下り回線方向の干渉を効果的に低減する。反対に、遠隔無線周波数ユニットがＵＥに近い場合、遠隔無線周波数ユニットからＵＥへの平均下り回線経路損失は低く、従って、ＵＥの下り回線受信信号の電力は、主に、平均下り回線経路損失が低いその遠隔無線周波数ユニットから送られる。
【００１５】
時分割二重化（ＴＤＤ）システムでは、上り回線と下り回線の経路損失は、等しいと想定される。周波数分割二重化（ＦＤＤ）システムでは、上り回線と下り回線の周波数帯域は異なるので、上り回線と下り回線のチャネルの高速フェージングは相関関係になく、瞬間下り回線経路損失と瞬間上り回線経路損失は異なる。しかしながら、或る期間で平均した上り回線と下り回線の経路損失は、主に伝播経路の空間的距離によって決まり、それらはほぼ等しい。
【００１６】
従って、本発明によれば、複合セルの各遠隔無線周波数ユニットからＵＥまでの経路の相対強度は、上り回線信号強度、遠隔無線周波数ユニットがＵＥから受信する上り回線チャネル電力、及びＵＥの上り回線信号−干渉比（ＳＩＲ）の様な、遠隔無線周波数ユニットがＵＥから上り回線方向で受信した上り回線信号の品質に従って決定することができ、この相対強度は、各遠隔無線周波数ユニットがＵＥの下り回線信号を下り回線方向に送るか否かを判定するための根拠として用いられてもよい。
【発明を実施するための最良の形態】
【００１７】
本発明を、添付図面と実施形態を参照しながら説明する。
本発明による下り回線電力制御装置の或る実施形態を、図４と図６を参照しながら説明する。図４と図６は、拡散受信装置、下り回線電力制御装置、及び合成ユニット２０を示している。分かり易く説明するために、図４は、１つのＵＥに対応する拡散受信装置だけを示している。図４に示すように、下り回線電力制御装置は、信号品質測定ユニット１２と、平均信号品質計算ユニット１３と、電力制御ユニットを備えており、電力制御ユニットは、選択ユニット１４を備えている。図示のように、複合セルの各遠隔無線周波数ユニット１１からの上り回線受信信号は、ベースバンド処理のために、広帯域送信リンクを介して集中型基地局に送られる。上り回線では、複合セルの拡散受信装置は、受信するダイバーシティＲＡＫＥ受信器１０であり、相関受信、多重経路検索及び追跡処理は、それぞれ、全ての受信分岐の信号で実行される。同時に、チャネル推定処理は、各受信分岐で実行され、最後に、最大の割合で合成するために、全ての受信分岐から或る閾値を上回る強度を有する経路が選択される。本発明によれば、信号品質測定ユニット１２は、上り回線ダイバーシティＲＡＫＥ受信器１０から、各遠隔無線周波数ユニットに対応する受信分岐の（信号強度又は符号チャネル電力又は信号干渉比（ＳＩＲ）の様な）信号品質（ここで信号強度は、受信分岐の干渉及びノイズ成分を含む総信号レベルであり、符号チャネル電力は、干渉及びノイズ成分を取り除いた分岐の有用な信号電力であり、ＳＩＲは、符号チャネル電力と干渉及びノイズ成分との比である）を得る。次に、平均信号品質計算ユニット１３は、累積平均するための或る期間に亘る各受信分岐の平均信号品質（例えば、平均信号強度又は符号チャネル電力又はＳＩＲ）を計算する。選択ユニット１４は、例えば、並べ替えを用いて、高い平均信号強度又は符号チャネル電力又はＳＩＲを有する遠隔無線周波数ユニット分岐を求め、これを使って、ＵＥの下り回線信号送信電力を制御する。
【００１８】
図５は、先行技術による下り回線物理チャネルの合成ユニットを示しており、その詳細は、３ＧＰＰの技術仕様書ＴＳ２５．２１３（第３世代協力プロジェクト）に開示されており、各遠隔無線周波数ユニット分岐は、そのようなユニットに対応している。図に示しているように、ＳＣＨ（同期チャネル）の代わりに、ＴＢ２５．２１３仕様書に従って生成された他の物理チャネルが、それぞれ各比率因数が掛けられた後で、信号の一進路に統合され、その後、ＳＣＨチャネルと合成された後で、下り回線ＱＰＳＫ変調ユニットに送られる。本発明によれば、図６に示しているように、下り回線電力制御装置は、更に、切替ユニット２１を備えている。図５に示されるような合成ユニットに基づいて、対応する物理チャネルを送信するか否かを制御するために、ストローブスイッチが、各物理チャネルの前に追加される。各ストローブスイッチを制御するためのゲート信号は、本発明に従って上り回線受信チャネルから得られる、より高い平均信号強度又は符号チャネル電力又はＳＩＲを有する遠隔無線周波数ユニット分岐に関する選択に基づいて生成され、つまり、より高い平均信号強度又は符号チャネル電力又はＳＩＲを有する遠隔無線周波数ユニット分岐だけが、対応するＵＥの下り回線信号を送信し、そのほかは、遠隔無線周波数ユニット分岐で送信されない。
【００１９】
図７と図８は、本発明の下り回線電力制御装置の他の実施形態を示している。上に述べた実施形態とは異なり、図７に示すように、本実施形態の下り回線電力制御装置は、選択ユニットと切替ユニットを備えていないが、各受信分岐の平均信号強度又は符号チャネル電力又はＳＩＲに基づいて、各遠隔無線周波数ユニット分岐の正規化された電力分配比率因数を求める制御ユニット３４を備えており、それを、図８に示すように、各遠隔無線周波数ユニットの下り回線分岐に対応するＵＥの下り回線信号電力比率調整のために用いる。図８は、電力分配比率因数が、制御ユニット３４からの信号によって制御される合成ユニット４０を示している。或る好適な実施形態では、合成ユニット４０は、実際には制御ユニット３４によって決められた比率に基づく電力分配比率因数である比率制御ユニットを備えている。
【００２０】
以下は、本発明を限定するものではないが、各遠隔無線周波数ユニット分岐の正規化された電力分配比率因数を求める方法の一例であり、Ｓ１、Ｓ２、・・・ＳＭを本発明に基づいて得られた各遠隔無線周波数ユニット分岐の平均信号強度又は符号チャネル電力又はＳＩＲ、Ｍを複合セル内の遠隔無線周波数ユニット（基本マイクロセル）の数とすれば、各遠隔無線周波数ユニット分岐の正規化された電力分配比率因数Ｋｉ、ｉ＝１、２、・・・Ｍは、式（１）を使って求められる。
【数１】
2007533178.tif 000003
【００２１】
更に、上記２つの方法が組み合わせられてもよく、より高い平均信号強度又は符号チャネル電力又はＳＩＲを有する遠隔無線周波数ユニット分岐が最初に選択され、選択されなかった分岐に対応するＵＥの電力分配比率因数がゼロに設定される。ＵＥの下り回線信号を送信するために選択された分岐では、ＵＥの正規化された電力分配比率因数は、対応する遠隔無線周波数ユニット分岐の平均信号強度又は符号チャネル電力又はＳＩＲに基づいて計算される。
【００２２】
本発明を説明し易くするために、本発明は、ＷＣＤＭＡシステムを例に取って説明している。しかしながら、本発明の基本的な精神及び方法は、ＣＤＭＡ２０００、ＴＤ−ＳＣＤＭＡ、ＵＴＲＡ  ＴＤＤなどの様なＣＤＭＡ技法に基づく他の移動通信システムにも適用することもできる。
【図面の簡単な説明】
【００２３】
【図１ａ】従来型のＢＴＳの構造を示す概略図である。
【図１ｂ】無線アクセスネットワークの構造を示す概略図である。
【図２】遠隔無線周波数ユニットに基づく集中型基地局システムの構造を示すブロック図である。
【図３】遠隔無線周波数ユニットに基づく集中型基地局の複合セルにおける分散型送受信器方式を示す概略図である。
【図４】本発明の下り回線電力制御装置の或る実施形態による、複合セル内の拡散受信装置の構造を示す概略図である。
【図５】先行技術の下り回線物理チャネルの合成ユニットを示す概略図である。
【図６】本発明の実施形態による下り回線物理チャネルの合成方法を示す概略図である。
【図７】本発明の下り回線電力制御装置の別の実施形態による、複合セル内の拡散受信装置の構造を示す概略図である。
【図８】別の実施形態による、本発明の下り回線物理チャネルの合成ユニットを示す概略図である。
【図１ａ】
2007533178.tif 000004
【図１ｂ】
2007533178.tif 000005
【図２】
2007533178.tif 000006
【図３】
2007533178.tif 000007
【図４】
2007533178.tif 000008
【図５】
2007533178.tif 000009
【図６】
2007533178.tif 000010
【図７】
2007533178.tif 000011
【図８】
2007533178.tif 000012
【国際調査報告】
2007533178.tif 000013
2007533178.tif 000014
2007533178.tif 000015
2007533178.tif 000016